(57)【要約】【課題】仕切りの取り付けや包装箱の組み立てが容易な仕切り付き包装箱を提供すること。【解決手段】側面板の端縁に折り曲げ線（ａ）を介して仕切り板（１５）が延設され、仕切り板は側面板寄りから折り曲げ線（ａ）を介して補強板（１５１）、第１折り曲げ線（ｂ）を介して仕切り片（１５２）、第２折り曲げ線（ｃ）を介して糊代片（１５３）、がそれぞれ順次連設してなり、仕切り板は側面板と略同一幅に形成された構成からなり、第１折り曲げ線（ｂ）は山折りされ、第２折り曲げ線（ｃ）は谷折りされ、補強板の外面は補強板に密接する前面板（１１）の内面に接着され、糊代片の内面は前面板と対向する後面板（１３）の内面と接着されてスリーブ状に折り畳まれ、スリーブを箱状に起こした時、箱内部が仕切り片（１５２）により仕切られる。【選択図】図１
2006206139.tif 000002
【特許請求の範囲】
【請求項１】
包装箱ブランクの端縁に折り曲げ線を介して仕切り板が延設された構造からなり、
前記包装箱ブランクを包装箱に組み立てた際、仕切り板の先端縁が対向する面板に貼付されて箱内部が仕切られることを特徴とする、仕切り付き包装箱。
【請求項２】
前記仕切り板の中に、第２仕切り板が切り起こされて、該第２仕切り板の先端縁が対向する面板に貼付されて、さらに箱内部が仕切られることを特徴とする、請求項１記載の仕切り付き包装箱。  
【請求項３】
少なくとも前面板と後面板と左右側面板と底面板とからなる箱内に中仕切りを有する仕切り付き包装箱であって、
前記側面板の端縁に折り曲げ線を介して仕切り板が延設され、該仕切り板は側面板寄りから折り曲げ線を介して補強板、第１折り曲げ線を介して仕切り片、第２折り曲げ線を介して糊代片がそれぞれ順次連設されてなり、
前記仕切り板は側面板と略同一幅に形成された構成からなり、
第１折り曲げ線は山折りされ、第２折り曲げ線は谷折りされ、
前記補強板の外面は該補強板に密接する前面板の内面に接着され、糊代片の内面は前面板と対向する後面板の内面と接着されてスリーブ状に折り畳まれ、
前記スリーブを箱状に起こした時、箱内部が仕切り片により仕切られることを特徴とする、仕切り付き包装箱。  
【請求項４】
前記仕切り板は、前記補強板の略中央部分より仕切り片の略中央部分にかけて細溝線により略コの字状に第２仕切り板が区画形成され、
細溝線の先端と末端を結んで第１折り曲げ線と平行に第３折り曲げ線が形成され、前記第２仕切り板は側面板より長く形成され、
第２仕切り板の第３折り曲げ線より略側面板と同じ長さの位置に第３折り曲げ線と平行に第４折り曲げ線が形成され、第２仕切り板の第４折り曲げ線より先端は第２糊代片となり、
前記第３折り曲げ線は山折りされ、第４折り曲げ線は谷折りされ、
前記第２糊代片の内面は前面板と対向する後面板の内面と接着されてスリーブ状に折り畳まれ、
前記スリーブを箱状に起こした時、箱内部が仕切り片および第２仕切り片により仕切られることを特徴とする、請求項３記載の仕切り付き包装箱。  
【請求項５】
前記仕切り板には、前記補強板の略中央部分の上端縁より下端縁近傍に向けて設けられる折り曲げ線と平行な第３折り曲げ線と、該第３折り曲げ線の先端から仕切り片の略中央に向けて設けられる仕切り板と平行な細溝線と、該細溝線の先端から仕切り片寄りの補強板の上端縁に達するクランク状に形成される第２細溝線と、をそれぞれ結ぶ略短靴状の側面板より長い第２仕切り板が区画形成され、
第２仕切り板の第３折り曲げ線より略側面板と同じ長さの位置に第３折り曲げ線と平行に第４折り曲げ線が形成され、第２仕切り板の第４折り曲げ線より先端は第２糊代片となり、
補強板の第２細溝線と第１折り曲げ線とに囲まれた部分は第３糊代片として形成され、
前記第３折り曲げ線は山折りされ、第４折り曲げ線は谷折りされ、
前記第２糊代片の内面は前面板と対向する後面板の内面と接着されてスリーブ状に折り畳まれ、
前記スリーブを箱状に起こした時、箱内部が仕切り片および第２仕切り片により仕切られることを特徴とする、請求項３記載の仕切り付き包装箱。  
【請求項６】
前記仕切り板は側面板と同一高さに形成されていることを特徴とする、請求項１、２、３、４又は５記載の仕切り付き包装箱。
【発明の詳細な説明】
【技術分野】
【０００１】
本発明は、仕切り付き包装箱に関するものであり、特に顆粒状、粉末状等の洗剤を包装する洗剤カートンの自動充填・製函機用のオートマチックカートンフィーダに使用する仕切り付き包装箱に関する。
【背景技術】
【０００２】
洗剤を包装する洗剤カートンの自動充填・製函機用のオートマチックカートンフィーダには、片面がフラップ等で二重貼りされてスリーブ状に折り畳まれた、上側が厚く下側が薄く形成された洗剤カートンを百数十枚立て掛けて収納するカートンフィーダ用のダンボール製包装箱（溝切り形）が使用されている。
【０００３】
そしてダンボール製包装箱はフィーダに自動投入され、洗剤カートンが一つずつ組み立てられるとともに洗剤が自動的に充填され、洗剤が定量充填された洗剤カートンが出来上がる。
【０００４】
ところで、スリーブ状に折り畳まれた百数十枚の洗剤カートンをダンボール製包装箱に立て掛けると、上側は二重貼りされ下側は一重の上側が厚く、下側が薄い洗剤カートンは、扇形になり易く、この状態では自動充填・製函機のカートンホッパーに正確にセットできないという問題が発生する。
【０００５】
そのため、扇形現象を発生させなくするため、包装箱内を数十枚単位に区切るための仕切りが不可欠となる。
【０００６】
ところがこの包装箱内に仕切りを取り付ける作業は、現状では、溝切り形のダンボール箱を手作業で組み立て、その中に別体の仕切り板を手作業で折り曲げ、ダンボール箱に糊付けして仕切り板を貼着させていた。従って、仕切り構造が複雑で、使用する用紙面積が大きくなり、手作業で組み立てるので高価である、といった問題がある。
【発明の開示】
【発明が解決しようとする課題】
【０００７】
本発明は、上側のみ二重貼りされた上側と下側で厚みの異なる洗剤カートンのような包装カートンを多数枚立て掛けた状態に収納する仕切り付き包装箱に関する以上のような問題に鑑みてなされたもので、仕切りの取付けや包装箱の組み立てが容易な仕切り付き包装箱を提供することを課題とする。
【課題を解決するための手段】
【０００８】
本発明の請求項１の発明は、包装箱ブランクの端縁に折り曲げ線を介して仕切り板が延設された構造からなり、前記包装箱ブランクを包装箱に組み立てた際、仕切り板の先端縁が面板に貼付されて箱内部が仕切られることを特徴とする、仕切り付き包装箱である。
【０００９】
このように請求項１記載の発明によれば、包装箱ブランクの端縁に折り曲げ線を介して仕切り板が延設され、該仕切り板の先端縁が面板に貼付されることで内部が仕切られるので、包装箱の内部に上部と下部で厚みのことなる包装カートンを多数枚立て掛けるように入れても扇形に広がることはない。
【００１０】
また、請求項２の発明は、請求項１の発明において、前記仕切り板の中に、第２仕切り板が切り起こされて、該第２仕切り板の先端縁が前記面板に貼付されて、さらに箱内部が
仕切られることを特徴とする、仕切り付き包装箱である。
【００１１】
このように請求項２記載の発明によれば、仕切り板の中に、第２仕切り板が切り起こされて、前記第２仕切り板の先端縁が前記面板に貼付されることで、さらに箱内部が仕切られるので、包装箱の内部に上部と下部で厚みのことなる包装カートンを多数枚立て掛けるように収納しても扇形に広がることは極めて少なく、取り出し易い。
【００１２】
また、請求項３の発明は、少なくとも前面板と後面板と左右側面板と底面板とからなる箱内に中仕切りを有する仕切り付き包装箱であって、前記側面板の端縁に折り曲げ線を介して仕切り板が延設され、該仕切り板は側面板寄りから折り曲げ線を介して補強板、第１折り曲げ線を介して仕切り片、第２折り曲げ線を介して糊代片がそれぞれ順次連設されてなり、前記仕切り板は側面板と略同一幅に形成された構成からなり、第１折り曲げ線は山折され、第２折り曲げ線は谷折され、前記補強板の外面は該補強板に密接する前面板の内面に接着され、糊代片の内面は前面板と対向する後面板の内面と接着されてスリーブ状に折り畳まれ、前記スリーブを箱状に起こした時、箱内部が仕切り片により仕切られることを特徴とする、仕切り付き包装箱である。
【００１３】
このように請求項３記載の発明によれば、側面板の端縁に折り曲げ線を介して仕切り板が延設され、該仕切り板は側面板寄りから折り曲げ線を介して補強板、第１折り曲げ線を介して仕切り片、第２折り曲げ線を介して糊代片がそれぞれ順次連設されてなり、前記仕切り板は側面板と略同一幅に形成された構成からなり、第１折り曲げ線は山折され、第２折り曲げ線は谷折され、前記補強板の外面は該補強板に密接する前面板の内面に接着され、糊代片の内面は前面板と対向する後面板の内面と接着されてスリーブ状に折り畳まれ、前記スリーブを箱状に起こした時、箱内部が仕切り片により仕切られているので、包装箱の内部に上部が二重貼りされ、上部と下部とで厚さの異なる包装カートンを多数枚立て掛けて収納しても扇状に広がることがない。
【００１４】
また、請求項４の発明は、請求項３の発明において、前記仕切り板は、前記補強板の略中央部分より仕切り片の略中央部分にかけて細溝線により略コの字状に第２仕切り板が区画形成され、細溝線の先端と末端を結んで第１折り曲げ線と平行に第３折り曲げ線が形成され、前記第２仕切り板は側面板より長く形成され、第２仕切り板の第３折り曲げ線より略側面板と同じ長さの位置に第３折り曲げ線と平行に第４折り曲げ線が形成され、第２仕切り板の第４折り曲げ線より先端は第２糊代片となり、前記第３折り曲げ線は山折され、第４折り曲げ線は谷折りされ、前記第２糊代片の内側は前面板と対向する後面板の内面と接着されてスリーブ状に折り畳まれ、前記スリーブを箱状に起こした時、箱内部が仕切り片及び第２仕切り片により仕切られることを特徴とする、仕切り付き包装箱である。
【００１５】
このように請求項４記載の発明によれば、仕切り板は、前記補強板の略中央部分より仕切り片の略中央部分にかけて細溝線により略コの字状に第２仕切り板が区画形成され、細溝線の先端と末端を結んで第１折り曲げ線と平行に第３折り曲げ線が形成され、前記第２仕切り板は側面板より長く形成され、第２仕切り板の第３折り曲げ線より略側面板と同じ長さの位置に第３折り曲げ線と平行に第４折り曲げ線が形成され、第２仕切り板の第４折り曲げ線より先端は第２糊代片となり、前記第３折り曲げ線は山折され、第４折り曲げ線は谷折りされ、前記第２糊代片の内側は前面板と対向する後面板の内面と接着されてスリーブ状に折り畳まれ、前記スリーブを箱状に起こした時、箱内部が仕切り片及び第２仕切り片により仕切られるので、包装箱の内部に上面が二重貼りされた包装カートンを多数枚立て掛けて収納しても扇状に広がることがない。
【００１６】
また、請求項５の発明は、請求項３の発明において、前記仕切り板には、前記補強板の略中央部分の上端縁より下端縁近傍に向けて設けられる折り曲げ線と平行な第３折り曲げ
線と、該第３折り曲げ線の先端から仕切り片の略中央に向けて設けられる仕切り板と平行な細溝線と、該細溝線の先端から仕切り片寄りの補強板の上端縁に達するクランク状に形成される第２細溝線と、をそれぞれ結ぶ略短靴状の側面板より長い第２仕切り板が区画形成され、第２仕切り板の第３折り曲げ線より略側面板と同じ位置に第３折り曲げ線と平行に第４折り曲げ線が形成され、第２仕切り板の第４折り曲げ線より先端は第２糊代片となり、補強板の第２細溝線と第１折り曲げ線とに囲まれた部分は第３糊代片として形成され、前記第３折り曲げ線は山折りされ、第４折り曲げ線は谷折りされ、前記第２糊代片の内面は前面板と対向する後面板の内面と接着され、第３糊代片の外面は後面板に対向する前面板の内面と接着されてスリーブ状に折り畳まれ、前記スリーブを箱状に起こした時、箱内部が仕切り片および第２仕切り片により仕切られることを特徴とする、仕切り付き包装箱である。
【００１７】
このように請求項５記載の発明によれば、仕切り板には、前記補強板の略中央部分の上端縁より下端縁近傍に向けて設けられる折り曲げ線と平行な第３折り曲げ線と、該第３折り曲げ線の先端から仕切り片の略中央に向けて設けられる仕切り板と平行な細溝線と、該細溝線の先端から仕切り片寄りの補強板の上端縁に達するクランク状に形成される第２細溝線と、をそれぞれ結ぶ略短靴状の側面板より長い第２仕切り板が区画形成され、第２仕切り板の第３折り曲げ線より略側面板と同じ位置に第３折り曲げ線と平行に第４折り曲げ線が形成され、第２仕切り板の第４折り曲げ線より先端は第２糊代片となり、補強板の第２細溝線と第１折り曲げ線とに囲まれた部分は第３糊代片として形成され、前記第３折り曲げ線は山折りされ、第４折り曲げ線は谷折りされ、前記第２糊代片の内面は前面板と対向する後面板の内面と接着され、第３糊代片の外面は後面板に対向する前面板の内面と接着されてスリーブ状に折り畳まれ、前記スリーブを箱状に起こした時、箱内部が仕切り片および第２仕切り片により仕切られるので、包装箱の内部に上面が二重貼りされた包装カートンを多数枚立て掛けて収納しても扇状に広がることがない。
【００１８】
また、請求項６の発明は、請求項１、２、３、４又は５の発明において、前記仕切り板は側面板と同一高さに形成されていることを特徴とする、仕切り付き包装箱である。
【００１９】
このように請求項６記載の発明によれば、仕切り板は側面板と同一高さに形成されているので、仕切り板は包装箱の中に無理なく収容できるし、仕切り板の中に収納された洗剤カートン等の収納物が仕切り板を越えて隣の収納部に移動することもない。
【発明の効果】
【００２０】
このように本発明の仕切り付き包装箱は、包装箱ブランクに仕切り板が延設された構造からなるので、シンプルな構造体となり、生産が容易で、かつ、用紙の使用面積が削減でき、コストダウンが可能となる。
【発明を実施するための最良の形態】
【００２１】
本発明を一実施形態に基づいて以下に詳細に説明する。
図１は、仕切り付き包装箱を展開した包装箱ブランク（１０）の一実施例を示す、平面説明図である。なお、包装箱ブランク（１０）の素材としては、ダンボールのほか、板紙、プラスチックシート等任意の素材が使用できる。
【００２２】
前面板（１１）、右側面板（１２）、後面板（１３）、左側面板（１４）が折り曲げ線を介して順次連設され、左側面板（１４）の先端には折り曲げ線（ａ）を介して仕切り板（１５）が延設されている。
【００２３】
そして仕切り板（１５）は、左側面板寄りから外方に向けて折り曲げ線を介して補強板（１５１）、第１折り曲げ線（ｂ）を介して仕切り片（１５２）、第２折り曲げ線（ｃ）
を介して糊代片（１５３）がそれぞれ順次連設されている。
仕切り板（１５）は側面板（１２、１４）と略同一幅に形成されている。
【００２４】
前面板（１１）の上端縁には折り曲げ線を介して前面板上フラップ（１１１）が連設され、下端縁には折り曲げ線を介して前面板下フラップ（１１２）が連設されている。
【００２５】
右側面板（１２）の上端縁には折り曲げ線を介して右側面板上フラップ（１２１）が連設され、下端縁には折り曲げ線を介して右側面板下フラップ（１２２）が連設されている。
【００２６】
後面板（１３）の上端縁には折り曲げ線を介して後面板上フラップ（１３１）が連設され、下端縁には折り曲げ線を介して後面板下フラップ（１３２）が連設されている。
【００２７】
左側面板（１４）の上端縁には折り曲げ線を介して左側面板上フラップ（１４１）が連設され、下端縁には折り曲げ線を介して左側面板下フラップ（１４２）が連設されている。
【００２８】
つぎに、このような構造からなる包装箱ブランク（１０）から仕切り付き包装箱（１）を組み立てる手順の一例を説明する。
【００２９】
仕切り板（１５）を折り曲げ線（ａ）に沿って山折りし、糊代片（１５３）の内面とそれに密接する後面板（１３）の内面を接着剤を介して接着する。
ついで、前面板（１１）と右側面板（１２）を右側面板（１２）と後面板（１３）の境界の折り曲げ線に沿って折り曲げ、先に折り曲げた仕切り板（１５）の上に重ねる。その際、仕切り板（１５）の補強板（１５１）の外面に接着剤を塗布しておき、前面板（１１）の内面と補強板（１５１）の外面を接着させておく。
【００３０】
このようにして包装箱ブランク（１０）はスリーブ状（２０）に折り畳まれた（図２参照）。
【００３１】
このスリーブ（２０）を筒状に起こすと筒の内部は仕切り片（１５２）で仕切られる。右側面板下フラップ（１２２）と左側面板下フラップ（１４２）を折り曲げ線に沿って折り曲げ、ついで、前面板下フラップ（１１２）と後面板下フラップ（１３２）を折り曲げ線に沿って折り曲げて底面板を形成させ、底面を接着剤、封緘テープ、ステープル等任意の手段で封鎖して仕切り付き包装箱（１）とする（図３参照）。
【００３２】
図４は、本発明の仕切り付き包装箱の別の実施形態を示す、箱を展開した包装箱ブランク（１０ａ）の平面説明図である。
【００３３】
この実施形態は基本的には図１と同様であるので、図１との相違個所を中心に記述する。
仕切り板（１５）が補強板（１５１）、仕切り片（１５２）、糊代片（１５３）が順次連設されているところまでは先の実施形態と同様であるが、補強板（１５１）の略中央部分より仕切り片（１５２）の略中央部分にかけて細溝線（ｄ）により略横長のコの字状に第２仕切り板（１５４）が区画形成されている。当然ながら第２仕切り板（１５４）には第１折り曲げ線（ｂ）は形成しない。
【００３４】
なお、仕切り板（１５）に第２仕切り板（１５４）を区画形成する際、切断線に幅を持たせた細溝線を用いたのは、第２仕切り板（１５４）の開口トルクを小さくして開封性を向上させるためである。
【００３５】
細溝線（ｄ）の先端と末端を結んで第１折り曲げ線（ｂ）と平行な第３折り曲げ線（ｅ）が形成されている。そして第２仕切り板（１５４）は左右側面板（１２、１４）より長く形成されている。
【００３６】
第２仕切り板（１５４）の第３折り曲げ線（ｅ）より外方に向けて略左右側面板（１２、１４）と同じ長さの位置に第３折り曲げ線（ｅ）と平行に第４折り曲げ線（ｆ）が形成されている。  
第２仕切り板（１５４）の第４折り曲げ線（ｆ）より先端は、第２糊代片（１５５）を形成している。
【００３７】
このような形状をした包装箱ブランク（１０ａ）から仕切り付き包装箱（２）を組み立てる手順の一例を説明する。
【００３８】
第２仕切り板（１５４）を第３折り曲げ線（ｅ）に沿って山折りし、第２糊代片（１５５）を第４折り曲げ線（ｆ）に沿って谷折りし、仕切り板（１５）を折り曲げ線（ａ）に沿って山折りし、糊代片（１５３）の内面とそれに密接する後面板（１３）の内面を接着剤を介して接着すると同時に、第２糊代片（１５５）の内面とそれに密接する後面板（１３）の内面を接着剤を介して接着する。
【００３９】
ついで、前面板（１１）と右側面板（１２）を右側面板（１２）と後面板（１３）の境界の折り曲げ線に沿って折り曲げ、先に折り曲げた仕切り板（１５）の上に重ねる。その際、仕切り板（１５）の補強板（１５１）の外面に接着剤を塗布しておき、前面板（１１）の内面と補強板（１５１）の外面を接着させておく。
【００４０】
このようにして包装箱ブランク（１０ａ）はスリーブ状（２０ａ）に折り畳まれた（図５参照）。
【００４１】
このスリーブ（２０ａ）を筒状に起こすと筒の内部は仕切り片（１５２）と第２仕切り板（１５４）により３区画に仕切られる。
同様に第２仕切り板の中に第３仕切り板（図示せず）を区画形成して、内部を４区画に仕切りことも可能になる。
【００４２】
右側面板下フラップ（１２２）と左側面板下フラップ（１４２）を折り曲げ線に沿って折り曲げ、ついで、前面板下フラップ（１１２）と後面板下フラップ（１３２）を折り曲げ線に沿って折り曲げて底面板を形成させ、底面を接着剤、封緘テープ、ステープル等任意の手段で封鎖して仕切り付き包装箱（２）とする（図６参照）。
【００４３】
図７は、本発明の仕切り付き包装箱のさらに別の実施形態を示す、箱を展開した包装箱ブランク（１０ｂ）の平面説明図である。
【００４４】
この実施形態も基本的には図１と同様であるので、図１及び図２との相違個所を中心に記述する。
仕切り板（１５）が補強板（１５１）、仕切り片（１５２）、糊代片（１５３）が順次連設されているところまでは先の実施形態と同様であるが、本実施形態の仕切り板（１５）には、補強板（１５１）の略中央部分の上端縁より下端縁近傍に向けて設けられる折り曲げ線（ａ）と平行な第３折り曲げ線（ｇ）と、この第３折り曲げ線（ｇ）の先端から仕切り片（１５２）の略中央に向けて設けられる仕切り板と平行な細溝線（ｈ）と、この細溝線（ｈ）の先端から仕切り片（１５２）寄りの補強板（１５１）の上端縁に達するクランク状に形成される第２細溝線（ｉ）とをそれぞれ結ぶ略短靴状の側面板より長い第２仕切
り板（１５６）が区画形成されている。
【００４５】
第２仕切り板（１５６）の第３折り曲げ線（ｇ）より略側面板と同じ位置に第３折り曲げ線（ｇ）と平行に第４折り曲げ線（ｊ）が形成され、第２仕切り板（１５６）の第４折り曲げ線（ｊ）より先端は第２糊代片（１５７）となっている。また、補強板（１５１）の第２細溝線（ｉ）と第１折り曲げ線（ｂ）とに囲まれた部分は第３糊代片（１５８）として形成されている。
【００４６】
このような形状をした包装箱ブランク（１０ｂ）から仕切り付き包装箱（３）を組み立てる手順の一例を説明する。
【００４７】
第２仕切り板（１５６）を第３折り曲げ線（ｇ）に沿って山折りし、第２糊代片（１５７）を第４折り曲げ線（ｊ）に沿って谷折りし、仕切り板（１５）を折り曲げ線（ａ）に沿って山折りし、糊代片（１５３）の内面とそれに密接する後面板（１３）の内面を接着剤を介して接着すると同時に、第２糊代片（１５５）の内面とそれに密接する後面板（１３）の内面を接着剤を介して接着する。
【００４８】
ついで、前面板（１１）と右側面板（１２）を右側面板（１２）と後面板（１３）の境界の折り曲げ線に沿って折り曲げ、先に折り曲げた仕切り板（１５）の上に重ねる。その際、仕切り板（１５）の補強板（１５１）の外面と、仕切り片（１５２）に連設された第３糊代片（１５８）の外面に接着剤を塗布しておき、前面板（１１）の内面と補強板（１５１）の外面を接着させておく。
【００４９】
このようにして包装箱ブランク（１０ｂ）はスリーブ状（２０ｂ）に折り畳まれた（図８参照）。
【００５０】
このスリーブ（２０ｂ）を筒状に起こすと筒の内部は仕切り片（１５２）と第２仕切り板（１５６）により３区画に仕切られる。
同様に第２仕切り板の中に第３仕切り板（図示せず）を区画形成して、内部を４区画に仕切りことも可能になる。
【００５１】
右側面板下フラップ（１２２）と左側面板下フラップ（１４２）を折り曲げ線に沿って折り曲げ、ついで、前面板下フラップ（１１２）と後面板下フラップ（１３２）を折り曲げ線に沿って折り曲げて底面板を形成させ、底面を接着剤、封緘テープ、ステープル等任意の手段で封鎖して仕切り付き包装箱（３）とする（図９参照）。
仕切り片と第２仕切り板の構造をこのようにすることにより仕切りを上面いっぱいまで上げることができる。
【図面の簡単な説明】
【００５２】
【図１】本発明の仕切り付き包装箱を展開した包装箱ブランクの一実施例を示す、平面説明図である。
【図２】図１のブランクをスリーブ状に折り畳んだ状態を示す、斜視説明図である。
【図３】図２のスリーブを起こして包装箱に組み立てた状態を示す、斜視説明図である。
【図４】本発明の仕切り付き包装箱を展開した包装箱ブランクの別の実施例を示す、平面説明図である。
【図５】図４のブランクをスリーブ状に折り畳んだ状態を示す、斜視説明図である。
【図６】図５のスリーブを起こして包装箱に組み立てた状態を示す、斜視説明図である。
【図７】本発明の仕切り付き包装箱を展開した包装箱ブランクのさらに別の実施例を示す、平面説明図である。
【図８】図７のブランクをスリーブ状に折り畳んだ状態を示す、斜視説明図である。
【図９】図７のスリーブを起こして包装箱に組み立てた状態を示す、斜視説明図である。
【符号の説明】
【００５３】
１‥‥仕切り付き包装箱  
２‥‥仕切り付き包装箱  
３‥‥仕切り付き包装箱  
１０‥‥包装箱ブランク
１０ａ‥包装箱ブランク
１０ｂ‥包装箱ブランク
１１‥‥前面板
１２‥‥右側面板
１３‥‥後面板
１４‥‥左側面板
１５‥‥仕切り板
２０‥‥スリーブ
２０ａ‥スリーブ
２０ｂ‥スリーブ
１１１‥‥前面板上フラップ
１１２‥‥前面板下フラップ
１２１‥‥右側面板上フラップ
１２２‥‥右側面板下フラップ
１３１‥‥後面板上フラップ
１３２‥‥後面板下フラップ  
１４１‥‥左側面板上フラップ
１４２‥‥左側面板下フラップ
１５１‥‥補強板
１５２‥‥仕切り片
１５３‥‥糊代片
１５４‥‥第２仕切り板
１５５‥‥第２糊代片
１５６‥‥第２仕切り板
１５７‥‥第２糊代片
１５８‥‥第３糊代片
ａ‥‥折り曲げ線
ｂ‥‥第１折り曲げ線
ｃ‥‥第２折り曲げ線
ｄ‥‥細溝線
ｅ‥‥第３折り曲げ線
ｆ‥‥第４折り曲げ線
ｇ‥‥第３折り曲げ線
ｈ‥‥細溝線
ｉ‥‥第２細溝線
ｊ‥‥第４折り曲げ線
【図１】
2006206139.tif 000003
【図２】
2006206139.tif 000004
【図３】
2006206139.tif 000005
【図４】
2006206139.tif 000006
【図５】
2006206139.tif 000007
【図６】
2006206139.tif 000008
【図７】
2006206139.tif 000009
【図８】
2006206139.tif 000010
【図９】
2006206139.tif 000011